(57)【要約】【課題】複数の撮影端末から頻繁に撮影を行い、扱う情報量が膨大なものとなる場合にも、統計調査報告書作成の能率を上げる。【解決手段】撮影した画像に対して、時刻情報、位置情報及び重要度を含む調査情報を付与することにより統計調査情報を作成する撮影端末１と、撮影端末から送られる統計調査情報を管理するアーカイブサーバ２と、アーカイブサーバに統計調査情報に対する時刻範囲、調査情報内容または画像の有無を含む検索条件を送り、該検索条件に該当する統計調査情報を取得し、統計調査情報を選別して統計調査報告書を作成するクライアント端末４とを有する。【選択図】図１
2010277167.tif 000002
【特許請求の範囲】
【請求項１】
画像を撮影する撮影部と、
前記撮影部により撮影される画像に対して、時刻情報、位置情報及び重要度を含む調査情報を付与することにより統計調査情報を作成する統計調査情報作成部と
を有する撮影端末。
【請求項２】
撮影した画像に対して、時刻情報、位置情報及び重要度を含む調査情報を付与することにより統計調査情報を作成する撮影端末から前記統計調査情報を取得し、管理する統計調査情報管理部と、
前記統計調査情報管理部により管理される統計調査情報のうち、時刻範囲、前記調査情報内容または前記画像の有無を含む検索条件に該当する統計調査情報を抽出する統計調査情報抽出部と
を有するアーカイブサーバ。
【請求項３】
撮影した画像に対して、時刻情報、位置情報及び重要度を含む調査情報を付与することにより統計調査情報を作成する撮影端末から前記統計調査情報を取得し、管理するアーカイブサーバに、前記統計調査情報に対する時刻範囲、前記調査情報内容または前記画像の有無を含む検索条件を送信する検索条件送信部と、
前記アーカイブサーバから、前記検索条件送信部により送信する検索条件に該当する統計調査情報を受信する統計調査情報受信部と、
前記統計調査情報受信部により受信される統計調査情報を選別して統計調査報告書を作成する統計調査報告書作成部と
を有するクライアント端末。
【請求項４】
前記アーカイブサーバから取得した統計調査情報の位置情報に基づいて、保持する地図データ上の対応する位置にマークを描画し、前記マークと前記統計調査情報とを関連付けて記憶する統計調査情報描画部をさらに有する
ことを特徴とする請求項３記載のクライアント端末。
【請求項５】
前記統計調査情報描画部は、前記統計調査情報の重要度に応じて、前記保持する地図データ上に、異なる色または形状で前記マークを描画することを特徴とする請求項４記載のクライアント端末。
【請求項６】
前記統計調査情報描画部は、前記統計調査情報の重要度に応じて、前記保持する地図データ上の重要度の高い統計調査情報が集中するエリアを異なる色で描画することを特徴とする請求項４記載のクライアント端末。
【請求項７】
前記統計調査情報描画部は、前記保持する地図データ上の選択されたエリア内に存在する複数のマークに関連付けられる前記統計調査情報を一覧抽出することを特徴とする請求項４記載のクライアント端末。
【請求項８】
画像を撮影する撮影部と、前記撮影部により撮影される画像に対して、時刻情報、位置情報及び重要度を含む調査情報を付与することにより統計調査情報を作成する統計調査情報作成部とを有する撮影端末と、
前記撮影端末から前記統計調査情報を取得し、管理する統計調査情報管理部と、前記統計調査情報管理部により管理される統計調査情報のうち、時刻範囲、前記調査情報内容または前記画像の有無を含む検索条件に該当する統計調査情報を抽出する統計調査情報抽出部とを有するアーカイブサーバと、
前記アーカイブサーバに、前記統計調査情報に対する時刻範囲、前記調査情報内容または前記画像の有無を含む検索条件を送信する検索条件送信部と、前記アーカイブサーバから、前記検索条件送信部により送信する検索条件に該当する統計調査情報を受信する統計調査情報受信部と、前記統計調査情報取得部により取得される統計調査情報を選別して統計調査報告書を作成する統計調査報告書作成部とを有するクライアント端末と
を備える統計調査報告書作成システム。
【請求項９】
前記クライアント端末は、前記統計調査情報の位置情報に基づいて、保持する地図データ上の対応する位置にマークを描画し、前記マークと前記統計調査情報とを関連付けて記憶する統計調査情報描画部をさらに有することを特徴とする請求項８記載の統計調査報告書作成システム。
【請求項１０】
前記統計調査情報描画部は、前記統計調査情報の重要度に応じて、前記保持する地図データ上に、異なる色または形状で前記マークを描画することを特徴とする請求項９記載の統計調査報告書作成システム。
【請求項１１】
前記統計調査情報描画部は、前記統計調査情報の重要度に応じて、前記保持する地図データ上の重要度の高い統計調査情報が集中するエリアを異なる色で描画することを特徴とする請求項９記載の統計調査報告書作成システム。
【請求項１２】
前記統計調査情報描画部は、前記保持する地図データ上の選択されたエリア内に存在する複数のマークに関連付けられる前記統計調査情報を一覧抽出することを特徴とする請求項９記載の統計調査報告書作成システム。
【発明の詳細な説明】
【技術分野】
【０００１】
この発明は、例えば撮影端末から送られてくる情報をサーバに蓄積し、サーバから所望の情報を抽出することにより統計調査報告書を作成するための撮影端末、アーカイブサーバ、クライアント端末及び統計調査報告書作成システムに関するものである。
【背景技術】
【０００２】
従来、カメラ付き携帯電話端末やデジタルカメラなどの撮影端末により撮影した画像に位置情報などの情報を付与し、この情報から報告書を作成する報告書作成システムがある（例えば、特許文献１参照）。
【先行技術文献】
【特許文献】
【０００３】
【特許文献１】特開２００５−２２２４０６号公報
【発明の概要】
【発明が解決しようとする課題】
【０００４】
しかしながら、この特許文献１に開示される報告書作成システムでは、統計調査のように、複数の撮影端末から頻繁に撮影を行う場合、逐一送信を行うため、扱う情報量が膨大なものとなり、この膨大な情報を選別して統計調査報告書を作成することは困難であるという課題があった。
【０００５】
この発明は、上記のような課題を解決するためになされたもので、複数の撮影端末から頻繁に撮影を行い、扱う情報量が膨大なものとなる場合にも、統計調査報告書作成の能率を上げることができる撮影端末、アーカイブサーバ、クライアント端末及び統計調査報告書作成システムを提供することを目的としている。
【課題を解決するための手段】
【０００６】
この発明に係る統計調査報告書作成システムは、画像を撮影する撮影部と、撮影部により撮影される画像に対して、時刻情報、位置情報及び重要度を含む調査情報を付与することにより統計調査情報を作成する統計調査情報作成部とを有する撮影端末と、撮影端末から前記統計調査情報を取得し、管理する統計調査情報管理部と、統計調査情報管理部により管理される統計調査情報のうち、時刻範囲、調査情報内容または画像の有無を含む検索条件に該当する統計調査情報を抽出する統計調査情報抽出部とを有するアーカイブサーバと、アーカイブサーバに、統計調査情報に対する時刻範囲、調査情報内容または画像の有無を含む検索条件を送信する検索条件送信部と、アーカイブサーバから、検索条件送信部により送信される検索条件に該当する統計調査情報を受信する統計調査情報受信部と、統計調査情報取得部により取得される統計調査情報を選別して統計調査報告書を作成する統計調査報告書作成部とを有するクライアント端末とを備えるものである。
【発明の効果】
【０００７】
この発明によれば、上記のように構成したので、撮影端末により作成される統計調査情報を一旦アーカイブサーバに蓄積し、このアーカイブサーバから、検索条件を設定することにより絞り込んで統計調査情報を取得することで、統計調査報告書を作成したい統計調査情報の選別が容易になり、統計調査報告書作成の能率を上げることができる。
【図面の簡単な説明】
【０００８】
【図１】この発明の実施の形態１に係る統計調査報告書作成システムの構成を示す図である。
【図２】この発明の実施の形態１に係る撮影端末の調査情報の入力画面を示す図である。
【図３】この発明の実施の形態１に係るクライアント端末の検索条件の設定画面を示す図である。
【図４】この発明の実施の形態１に係るクライアント端末の統計調査情報取込処理を示すフローチャートである。
【図５】この発明の実施の形態１に係るクライアント端末の操作画面を示す図である。
【発明を実施するための形態】
【０００９】
以下、この発明の実施の形態について図面を参照しながら詳細に説明する。
実施の形態１．
図１はこの発明の実施の形態１に係る統計調査報告書作成システムの構成を示す図である。
統計調査報告書作成システムは、図１に示すように、撮影端末１、アーカイブサーバ２、データベース３、クライアント端末４及びインターネット５により構成される。
【００１０】
撮影端末１は、統計調査対象となる画像を撮影し、この撮影した画像に対して、時刻情報、位置情報の付与及び作業者により入力された調査情報を付与することで統計調査情報を作成するものであり、ユニークな端末ＩＤによって端末の特定が可能なカメラ付き携帯電話やＷＥＢカメラ付きのモバイルコンピュータなどにより構成される。この撮影端末１は、図１に示すように、撮影部６及び統計調査情報作成部７により構成される。
【００１１】
撮影部６は、統計調査対象となる画像を撮影するものである。この撮影部６により撮影された画像は統計調査情報作成部７に送られる。
【００１２】
統計調査情報作成部７は、撮影部６から送られる画像に対して、時刻情報、位置情報の付与及び作業者による調査情報の入力を行うことにより、統計調査情報を作成するものであり、調査情報を入力するための調査プログラムをインストールしている。この統計調査情報作成部７により作成される統計調査情報はインターネット５経由でアーカイブサーバ２に送られる。
【００１３】
ここで、撮影端末１の統計調査情報作成部７により入力される調査情報について説明する。
図２はこの発明の実施の形態１に係る撮影端末１の調査情報の入力画面を示す図である。
図２に示すように、撮影端末１の調査情報の入力画面は、分類、重要度、数値及び特記事項にカテゴリが分かれている。ここで、分類及び重要度は、入力項目を選択欄化して構成されている。
撮影端末１を用いて統計調査を行う作業者は、調査プログラムに従って、撮影した画像に対して、調査情報の入力画面の各カテゴリを入力することにより、この調査情報を付与する。さらに、撮影した画像の時刻情報及び位置情報を自動的に付与することにより統計調査情報を作成する。
【００１４】
アーカイブサーバ２は、撮影端末１からインターネット５経由で送られる統計調査情報をデータベース３に蓄積させて管理し、クライアント端末４から送られる、時刻範囲や調査情報の各カテゴリ内容、画像の有無などの統計調査情報に対する検索条件に対して、該当する統計調査情報を抽出するものであり、ＷＥＢシステムとして構築されたものである。このアーカイブサーバ２は、図１に示すように、統計調査情報管理部８及び統計調査情報抽出部９により構成される。
【００１５】
統計調査情報管理部８は、撮影端末１からインターネット５経由で送られる統計調査情報を取得し、データベース３に蓄積させることにより管理するものである。
【００１６】
統計調査情報抽出部９は、クライアント端末４から送られる、時刻範囲や調査情報の各カテゴリ内容、画像の有無などの統計調査情報に対する検索条件に対して、データベース３に蓄積される統計調査情報の中から該当する統計調査情報を抽出するものである。この統計調査情報抽出部９により抽出される統計調査情報はインターネット５経由でクライアント端末４に送られる。
【００１７】
データベース３は、アーカイブサーバ２の統計調査情報管理部８から送られる統計調査情報を蓄積データとして蓄積するものである。このデータベース３に蓄積された統計調査情報は、必要に応じて、アーカイブサーバ２の統計調査情報抽出部９により抽出される。
【００１８】
クライアント端末４は、アーカイブサーバ２から、時刻範囲、調査情報の各カテゴリ内容または画像の有無を含む検索条件に該当する統計調査情報を取得し、複数の統計調査情報を選別することにより統計調査報告書を作成するものである。このクライアント端末４は、図１に示すように、検索条件送信部１０、統計調査情報受信部１１、統計調査情報描画部１２及び統計調査報告書作成部１３により構成される。
【００１９】
検索条件送信部１０は、データベース３に蓄積される統計調査情報に対して、時刻範囲、調査情報の各カテゴリ内容または画像の有無を含む検索条件を設定して、アーカイブサーバ２に送信するものである。
【００２０】
ここで、クライアント端末４の検索条件送信部１０により設定され、アーカイブサーバ２に送信される検索条件について説明する。
図３はこの発明の実施の形態１に係るクライアント端末４の検索条件の設定画面を示す図である。
図３に示すように、クライアント端末４の検索条件を設定するための設定画面は、分類、重要度、数値及び抽出日時にカテゴリが分かれている。ここで、分類及び重要度は、入力項目を選択欄化して構成されている。
クライアント端末４を使用する作業者は、この検索条件の設定画面の各カテゴリを入力することにより統計調査情報に対する検索条件を設定し、下部に設けた「データ取込」ボタンを選択することにより、この設定された検索条件をアーカイブサーバ２に送信する。
【００２１】
統計調査情報受信部１１は、アーカイブサーバ２から送られる検索条件に該当する統計調査情報を受信し、内部データとしてメモリ、外部ファイル、またはローカルデータベースなどと組み合わせて保持するものである。この統計調査情報受信部１１に保持される統計調査情報は、統計調査情報描画部１２により取り出される。
【００２２】
統計調査情報描画部１２は、統計調査情報受信部１１から取り出した統計調査情報に含まれる位置情報に基づいて、保持する地図データ上の対応する位置にアイコンで表現されるマークを描画するものであり、地図データ上の該当する位置にマークを描画するための地理情報プログラムをインストールしている。また、この統計調査情報描画部１２は、描画されるマークと、このマークに対応する統計調査情報を関連付けて記憶する。
【００２３】
統計調査報告書作成部１３は、複数の統計調査情報を選別することにより統計調査報告書を作成するものであり、統計調査報告書を作成するための統計調査報告書作成プログラムをインストールしている。この統計調査報告書作成部１３では、統計調査情報描画部１２により地図データ上に描画されるマークを選択することにより、選択したマークに関連付けられる統計調査情報をクライアント端末４の画面上に表示し、複数の統計調査情報から所望の統計調査情報を選択することで、統計調査報告書作成プログラムに従い、統計調査情報、地図及び写真等を含めた統計調査報告書を作成する。
【００２４】
次に、上記のように構成された統計調査報告書作成システムの動作について説明する。
図４はこの発明の実施の形態１に係るクライアント端末４の統計調査情報取込処理を示すフローチャートである。
統計調査情報取込処理では、図４に示すように、まず、検索条件送信部１０は検索条件を送信する（ステップＳＴ１）。すなわち、クライアント端末４の検索条件送信部１０は、時刻範囲や調査情報の各カテゴリ内容、画像の有無などの統計調査情報に対する検索条件を設定してアーカイブサーバ２に送信する。
【００２５】
次いで、統計調査情報抽出部９は検索条件を受信する（ステップＳＴ２）。すなわち、アーカイブサーバ２の統計調査情報抽出部９は、クライアント端末４から統計調査情報に対する検索条件を受信する。
【００２６】
次いで、統計調査情報抽出部９は統計調査情報を抽出する（ステップＳＴ３）。すなわち、アーカイブサーバ２の統計調査情報抽出部９は、受信した統計調査情報に対する検索条件に基づいて、データベース３に蓄積データとして蓄積されている統計調査情報から、この検索条件に該当する統計調査情報を抽出する。
【００２７】
次いで、統計調査情報抽出部９は統計調査情報を送信する（ステップＳＴ４）。すなわち、アーカイブサーバ２の統計調査情報抽出部９は、データベース３から抽出した、検索条件に該当する統計調査情報を送信用にデータフォーマットして、クライアント端末４に送信する。
【００２８】
次いで、統計調査情報受信部１１は統計調査情報を受信する（ステップＳＴ５）。すなわち、クライアント端末４の統計調査情報受信部１１は、アーカイブサーバ２から、検索条件に該当する統計調査情報を受信し、受信した統計調査情報を内部データとして蓄積する。
【００２９】
次いで、統計調査情報描画部１２は地図データ上へマークを描画する（ステップＳＴ６）。すなわち、クライアント端末４の統計調査情報描画部１２は、統計調査情報受信部１１から統計調査情報を取り出し、この統計調査情報に含まれる位置情報に対応する、クライアント端末４が保持している地図データ上の位置にマークを描画する。そしてこの地図データ上に描画したマークとこのマークに対応する統計調査情報とを１対１で関連付けて記憶する。
【００３０】
ここで、統計調査の性質上、ほぼ同位置にて複数回の調査を行う場合がある。そのような場合には、クライアント端末４は、統計調査情報に含まれる時刻情報に基づいて、地図上に古い時刻のものからマークを描画して、新しいものがマークの階層として上に来るようにする。
【００３１】
また、クライアント端末４の統計調査情報描画部１２は、統計調査情報に含まれる調査情報の分類または重要度に応じて、保持する地図データ上に、異なる色及び形状でマークを描画する。あるいは、クライアント端末４の統計調査情報描画部１２は、統計調査情報の重要度に応じて、保持する地図データ上の重要度の高い統計調査情報が集中して多数挙がっているエリアを異なる色に色分けして描画する。
【００３２】
図５はこの発明の実施の形態１に係るクライアント端末の操作画面を示す図である。図５（ａ）はマークが描画された地図データを示す図であり、図５（ｂ）はマークに関連付けられる統計調査情報を示す図であり、図５（ｃ）は作成される統計調査報告書を示す図である。
図５（ａ）に示すように、クライアント端末４の操作画面には、アーカイブサーバ２から送られる統計調査情報の位置情報に基づいて、クライアント端末４が保持する地図データ上の該当する位置にマークが描画される。この地図データ上のマークは、重要度に応じて異なる形状のマークにより描画され、図５（ａ）では、菱形が重要度：大、丸が重要度：中、四角が重要度：小として描画されている。また、このマークに付随して、統計調査を行った日時がテキストとして表示されている。
【００３３】
ここで、図５（ａ）に示す地図データ上に描画されるマークをマウスにより選択することにより、図５（ｂ）に示すような、選択されたマークに関連付けられ記憶される統計調査情報が詳細情報として表示される。ここで、このマークは最新のものが最上位に描画されるので、重なってマークが表示されている場合は、最新のマークに対応する統計調査情報が詳細情報として表示される。
【００３４】
また、図５（ａ）に示す、地図データ上の点線で囲まれたエリアをマウスにより範囲選択した場合にも、図５（ｂ）に示すような、または選択したエリア内に存在するマークに関連付けられ記憶される統計調査情報を一覧抽出し、そのうちの１つが詳細情報として表示される。そして、図５（ｂ）に示す、詳細情報画面の右下に設けられる「前へ」、「次へ」ボタンを選択することにより、エリア内に存在する複数のマークに対応する統計調査情報を順に切り替えて詳細情報として表示する。
【００３５】
この詳細情報として表示された統計調査情報を確認し、複数の統計調査情報から最も適したものを選択して、下部に設けられる「報告書作成」ボタンを選択することで、クライアント端末４の統計調査報告書作成部１３は、図５（ｃ）に示すような、統計調査情報、地図及び写真等を含む統計調査報告書を出力する。
【００３６】
以上のように、この実施の形態１によれば、撮影端末１で撮影した画像に対して時刻情報、位置情報及び調査情報を付与して、アーカイブサーバ２に蓄積し、クライアント端末４により必要な情報を絞り込んで取得するように構成したので、統計調査報告書を作成したい統計調査情報の選別が容易になり、統計調査報告書作成の能率を上げることができる。
【００３７】
なお、この発明の実施の形態１に係る統計調査報告書作成システムでは、クライアント端末４が保持する地図データ上に描画したマークと、このマークに対応する統計調査情報とを関連付けるように構成したので、この地図データ上に描画したマークを選択することで、地図データ上のマークに関連付けられて記憶される統計調査情報への直感的な参照が可能になる。
【００３８】
また、この発明の実施の形態１に係る統計調査報告書作成システムでは、クライアント端末４の統計調査情報描画部１２は、統計調査情報の重要度に応じて、異なる色または形状でマークを描画する、あるいは、特に重要度の高い統計調査情報が多数挙がっている地図データ上のエリアを異なる色に色分けして描画するように構成したので、容易に統計調査情報を選別することができ、また最も重要な情報をピックアップして統計調査報告書を作成することが可能になる。
【００３９】
また、この発明の実施の形態１に係る統計調査報告書作成システムでは、クライアント端末４が保持する地図データ上をエリア選択することで、このエリア内に存在するマークに関連付けられる統計調査情報を一覧で抽出するように構成したので、地図データ上に描画されるマークを個々に選択しなくても連続して統計調査情報を確認することが可能であるため、容易に統計調査情報の内容を確認することができる。
【００４０】
また、この発明の実施の形態１に係る統計調査報告書作成システムでは、撮影端末１の統計調査情報作成部７による調査情報の入力画面において、分類及び重要度の入力項目を選択欄化して構成し、また、クライアント端末４の検索条件送信部１０による検索条件の設定画面において、分類及び重要度の入力項目を選択欄化して構成したので、テキストの直接入力によってありがちな、入力のばらつきを防止することができ、操作を行い易くすることができる。
【符号の説明】
【００４１】
１  撮影端末、２  アーカイブサーバ、３  データベース、４  クライアント端末、５インターネット、６  撮影部、７  統計調査情報作成部、８  統計調査情報管理部、９  統計調査情報抽出部、１０  検索条件送信部、１１  統計調査情報受信部、１２  統計調査情報描画部、１３  統計調査報告書作成部。
【図１】
2010277167.tif 000003
【図２】
2010277167.tif 000004
【図３】
2010277167.tif 000005
【図４】
2010277167.tif 000006
【図５】
2010277167.tif 000007